(57)【要約】【課題】環境の変化に影響され難く正常に作動する弁構造および吸引装置を提供する。【解決手段】吸引装置１は、異物を吸引する吸引部２と異物が収容される収容部１３との間に弁構造２４を有している。弁構造２４は、中間部２５に形成されたエア流路部に弁部材４３が取り付けられ、エア流路部の上方に形成された第一エア流路部に弁開閉制御部材３９が取り付けられている。弁部材４３は、吸引部２で吸気されたエアによって開き、第一分流部９においてエアから分流された第一分流エアの圧力によって、弁開閉制御部材３９を介して閉じる。【選択図】図１
2020041545.tif 000002
【特許請求の範囲】
【請求項１】
異物を吸引する吸引部と、この吸引部の下流側に接続されて異物が収容される収容部との間に備えられた弁構造であって、
軸部を軸として開閉する弁部材が、前記吸引部で吸気されたエアによって開き、エアから分流された第一分流エアによって閉じる、
ことを特徴とする弁構造。
【請求項２】
前記弁部材が、前記吸引部側の面に、
前記第一分流エアの圧力が加えられる分流エア面部と、エアの圧力が加えられるエア面部とを有し、
前記分流エア面部と前記エア面部との間に前記軸部が配置された、
ことを特徴とする請求項１に記載された弁構造。
【請求項３】
前記軸部に、エアから分流された第二分流エアの圧力が加えられる、
ことを特徴とする請求項１または請求項２に記載された弁構造。
【請求項４】
前記吸引部と前記収容部との間に備えられて前記弁部材が取り付けられた中間部を有し、
前記中間部が、
エアが通ると共に前記エア面部と対面したエア流路部と、
前記第一分流エアが通ると共に前記分流エア面部と対面した第一分流エア流路部と、
エアから分流された第二分流エアが通ると共に前記軸部の両端と対面した第二分流エア流路部と、を有する、
ことを特徴とする請求項２に記載された弁構造。
【請求項５】
前記第一分流エアによって稼働すると共に前記弁部材に接触する弁開閉制御部材を有する、
ことを特徴とする請求項１から請求項４のいずれか１項に記載された弁構造。
【請求項６】
前記弁開閉制御部材が、
閉じた状態の前記弁部材を基準として、開いた状態の前記弁部材が鋭角となる位置で停止させる、
ことを特徴とする請求項５に記載された弁構造。
【請求項７】
請求項１から請求項６のいずれか１項に記載された弁構造と、
前記弁構造の上流側に接続された吸引本体部と、
前記吸引本体部の上流側に接続された吸引ノズル部と、
前記吸引本体部に備えられた把持部と、
前記弁構造の下流側に接続された収容容器部と、
前記収容容器部を支持するフレーム部と、を有する、
ことを特徴とする吸引装置。
【発明の詳細な説明】
【技術分野】
【０００１】
本発明は、エアの流路を開閉するための弁構造および吸引装置に関するものである。
【背景技術】
【０００２】
従来、エアを利用したハンディタイプの掃除機として、例えば下記特許文献1に記載された清掃工具がある。この清掃工具は、利用者が把持するグリップ部と、エアの力によって吸引された異物が通る筒部と、この筒部に接続されて異物が収容される収納箱と、筒部と収納箱との間に取り付けられた逆止弁とを有している。逆止弁は、吸引時において開き、停止時においては、例えば、弾性変形するゴムやバネの復元力によって自動的に閉じる。
【先行技術文献】
【特許文献】
【０００３】
【特許文献１】特開２００４−３２１９８８号公報
【発明の概要】
【発明が解決しようとする課題】
【０００４】
しかし、ゴムやバネは、温度による性能の変化や、経年によるクリープが起きるため、この場合、逆止弁が正常に作動しなくなる。その結果、不使用時において逆止弁が開いた状態であると、清掃工具の向きによっては異物が逆流する場合がある。
【０００５】
本発明は、上記の実情に鑑みて提案されたものである。すなわち、環境の変化に影響され難く、正常に作動する弁構造および吸引装置の提供を目的とする。
【課題を解決するための手段】
【０００６】
上記目的を達成するために、本発明に係る弁構造は、異物を吸引する吸引部と、この吸引部の下流側に接続されて異物が収容される収容部との間に備えられた弁構造であって、軸部を軸として開閉する弁部材が、前記吸引部で吸気されたエアによって開き、エアから分流された第一分流エアによって閉じる、ことを特徴とする。
【０００７】
本発明に係る弁構造は、前記弁部材が、前記吸引部側の面に、前記第一分流エアの圧力が加えられる分流エア面部と、エアの圧力が加えられるエア面部とを有し、前記分流エア面部と前記エア面部との間に前記軸部が配置された、ことを特徴とする。
【０００８】
本発明に係る弁構造は、前記軸部に、エアから分流された第二分流エアの圧力が加えられる、ことを特徴とする。
【０００９】
本発明に係る弁構造は、前記吸引部と前記収容部との間に備えられて前記弁部材が取り付けられた中間部を有し、前記中間部が、エアが通ると共に前記エア面部と対面したエア流路部と、前記第一分流エアが通ると共に前記分流エア面部と対面した第一分流エア流路部と、エアから分流された第二分流エアが通ると共に前記軸部の両端と対面した第二分流エア流路部と、を有する、ことを特徴とする。
【００１０】
本発明に係る弁構造は、前記第一分流エアによって稼働すると共に前記弁部材に接触する弁開閉制御部材を有する、ことを特徴とする。
【００１１】
本発明に係る弁構造は、前記弁開閉制御部材が、閉じた状態の前記弁部材を基準として、開いた状態の前記弁部材が鋭角となる位置で停止させる、ことを特徴とする。
【００１２】
本発明に係る吸引装置は、上記した弁構造と、前記弁構造の上流側に接続された吸引本体部と、前記吸引本体部の上流側に接続された吸引ノズル部と、前記吸引本体部に備えられた把持部と、前記弁構造の下流側に接続された収容容器部と、前記収容容器部を支持するフレーム部と、を有する、ことを特徴とする。
【発明の効果】
【００１３】
本発明に係る弁構造は、軸部を軸として開閉する弁部材が、吸引部で吸気されたエアによって開き、エアから分流された第一分流エアによって閉じる構成である。すなわち、エアによって弁部材が開閉することから、弁部材を開閉するための部材を要さず、部材の経年劣化や消耗がない。したがって、環境の変化に影響され難く、正常に作動する。
【００１４】
本発明に係る弁構造は、弁部材が、吸引部側の面に、第一分流エアの圧力が加えられる分流エア面部と、エアの圧力が加えられるエア面部とを有し、分流エア面部とエア面部との間に軸部が配置されている。すなわち、弁部材の片面である吸引部側の面は、軸部を境に、分流エア面部とエア面部とに区分される。異物を吸引する際のエアが停止し、分流エア面部にのみ第一分流エアの圧力が加わると、弁部材が軸部を軸として回転して閉じる。一方で、エアの圧力がエア面部に加わると、エアの圧力が第一分流エアの圧力よりも高いことから、弁部材が軸部を軸として回転する。よって、弁部材が開く。このように、エアによって弁部材が開閉することから、弁部材を開閉するための部材を要さず、部材の経年劣化や消耗がない。したがって、環境の変化に影響され難く正常に作動する。
【００１５】
本発明に係る弁構造は、軸部に、エアから分流された第二分流エアの圧力が加えられる構成である。この構成により、軸部の近傍において、異物が第二分流エアによって吹き飛ばされる。すなわち、第二分流エアによって軸部が清掃される。したがって、異物が軸部に詰まることがなく、弁部材が円滑に開閉する。
【００１６】
本発明に係る弁構造は、吸引部と収容部との間に備えられて弁部材が取り付けられた中間部を有し、この中間部が、エアが通ると共にエア面部と対面したエア流路部と、第一分流エアが通ると共に分流エア面部と対面した第一分流エア流路部と、エアから分流された第二分流エアが通ると共に軸部の両端と対面した第二分流エア流路部とを有する。この中間部によって、弁部材、各流路部の配置、各エアの流路が確定する。したがって、簡便な構成となる。また、各部材が中間部に集約されているため、修理や交換が容易である。
【００１７】
本発明に係る弁構造は、第一分流エアによって稼働すると共に弁部材に接触する弁開閉制御部材を有している。すなわち、第一分流エアの圧力が、弁開閉制御部材を介して弁部材に加えられる。したがって、第一分流エアの圧力が、弁開閉制御部材を介して伝達し、確実に弁部材を閉じることができる。仮に、弁開閉制御部材が多少経年劣化した場合であっても、第一分流エアの圧力によって、弁開閉制御部材の動作が補われ、正常に作動する。
【００１８】
本発明に係る弁構造は、弁開閉制御部材が、閉じた状態の弁部材を基準として、開いた状態の弁部材が鋭角となる位置で停止させる構成である。この構成により、弁部材が開いた状態において、エアの圧力に関わらず、弁部材が流路に対して傾いた状態で配置される。この構成により、異物が吸引されて弁構造を通過する際、異物は弁部材に衝突して勢いが減殺される。例えば、異物が鋭利な形状や金属の切り屑である場合、吸引の威力によって収容部を貫通する可能性が考えられるが、弁部材に衝突することで、収容部が損傷することを防ぐことができる。
【００１９】
本発明に係る吸引装置は、上記した弁構造と、この弁構造の上流側に接続された吸引本体部と、吸引本体部の上流側に接続された吸引ノズル部と、吸引本体部に備えられた把持部と、弁構造の下流側に接続された収容容器部と、収容容器部を支持するフレーム部とを有している。したがって、上記した弁構造と同様の効果を生じさせることができる。
【図面の簡単な説明】
【００２０】
【図１】図１は、本発明の実施形態に係る弁構造を有する吸引装置が示された部分断面側面図である。
【図２】図２は、本発明の実施形態に係る弁構造を有する吸引装置が示された部分断面上面図である。
【図３】図３は、本発明の実施形態に係る弁構造を有する吸引装置の収容部の一部が示され、（ａ）は前面図、（ｂ）は部分断面側面図である。
【図４】図４は、本発明の実施形態に係る弁構造を有する中間部が示され、（ａ）は部分断面側面図、（ｂ）は後面図である。
【図５】図５は、本発明の実施形態に係る弁構造を有する吸引装置の収容部の変形例が示され、（ａ）は上面図、（ｂ）は前面図、（ｃ）は側面図、（ｄ）は後面図である。
【発明を実施するための形態】
【００２１】
以下に、本発明の実施形態に係る弁構造および吸引装置を図面に基づいて説明する。図１および図２は、弁構造２４が備えられた吸引装置１が示されている。図３は、吸引装置１の収容部１３の一部が示されている。以下の説明では、吸引される異物の流路において、上流側を前方とし、下流側を後方とする。また、重力の方向を下方として、反対側を上方とする。また、上方から視して前後方向と交差する方向を左右側方とする。（図１および図２参照。）。
【００２２】
吸引装置１は、清掃などに用いられ、例えば、切り屑や埃などの様々な異物を吸引して収容する。図１および図２に示されているとおり、吸引装置１は、異物を吸引する吸引部２と、この吸引部２の下流側に接続されて異物が収容される収容部１３と、吸引部２と収容部１３との間に接続された弁構造２４とを有している。
【００２３】
吸引部２は、弁構造２４の上流側に接続された吸引本体部３と、この吸引本体部３の下部から下方に向けて伸びた把持部６と、吸引本体部３の前方に接続された吸引ノズル部１２とを有している。
【００２４】
吸引本体部３は、円筒状であり、エアを第二分流エアに分流する第二分流部４を有している。第二分流部４は、吸引本体部３の上端部に接続され、二方向の分岐部のそれぞれに第二分流接続管５が接続されている。把持部６は、エアの供給または停止を選択するための操作部７を有している。操作部７は、ボタンであり、把持部６の前部に配置されている。把持部６は、下端部に被接続部８を有している。被接続部８は、エアの供給源である供給部（図示省略。）が接続管１１を介して接続される。供給部は、例えばエアコンプレッサーなどである。被接続部８の上流側は、エアを第一分流エアに分流する第一分流部９が接続され、この第一分流部９の分岐部に第一分流接続管１０が接続されている。吸引ノズル部１２は、長手の円筒であり、前端が斜めにカットされている。すなわち、吸引ノズル部１２の前部は、下方から上方に渡って、前方に向けて傾斜している。
【００２５】
圧縮されたエアが供給部から供給されると、エアは、第一分流部９において第一分流エアが分流されると共に、把持部６を通って吸引本体部３に流れる。吸引本体部３は、吸引ノズル部１２から吸気する方向（図１および図２において後方）にエアの流れを転換する。また、エアは、第二分流部４において第二分流エアが分流される。
【００２６】
弁構造２４は、吸引部２と収容部１３との間に備えられた中間部２５と、この中間部２５に取り付けられた弁部材４３とを有している。中間部２５は、吸引本体部３の後端に接続された吸引接続部２６と、収容部１３が接続された収容接続部２７とが連接されている。吸引接続部２６は、吸引本体部３の外径が収まる大きさに形成され、収容接続部２７は、吸引接続部２６よりも上下および側方に向けて大きく形成されている。なお、中間部２５の外形は任意である。
【００２７】
収容部１３は、弁構造２４における中間部２５の後方に接続された収容容器部１９と、この収容容器部１９を支持するフレーム部１４とを有している。フレーム部１４は、側面から視してほぼＵ字状であり、平板状の上面部１５と平板状の下面部１６とが上下において互いに対面し、上下各面部１５，１６の後端に平板状の後面部１７が連接されている。上下各面部１５，１６の内側であって、前部近傍に、位置決め突起１８が形成されている。図３に示されているとおり、収容容器部１９は、例えば紙製の袋であり、袋の開口部に平板状の基板部２０を有している。基板部２０は収容孔２１が形成されている。収容孔２１は、例えば半長円形状であり、直線状の孔直線縁２２と、この孔直線縁２２の両端に連接されたほぼ半円状の孔湾曲縁２３とから形成されている。
【００２８】
図１および図２に示されているとおり、収容部１３におけるフレーム部１４は、上面部１５の前部側が弁構造２４における中間部２５の上面に固定され、下面部１６の前部側が中間部２５の下面に固定されている。各上下面部１５，１６の位置決め突起１８と中間部２５との間に隙間が形成され、この隙間に、収容部１３における収容容器部１９の基板部２０が挟まっている。
【００２９】
次に、弁構造２４を図面に基づいて詳説する。図４は、弁構造２４の外観および断面が示されている。
【００３０】
図４に示されているとおり、中間部２５は、ほぼ中心において前後に向けて貫通した円形の孔によって、内側にエア流路部２８が形成されている。エア流路部２８の上方であって中間部２５における収容接続部２７の上部は、内側に空間部２９が形成されている。空間部２９は、側方の幅がエア流路部２８と同じであり、前方が閉塞し、後方が開放されている。エア流路部２８と空間部２９とが後部においてつながっていることで、収容接続部２７の後端に弁部材収容口３０が形成されている。弁部材収容口３０は、例えば半長円形状であり、直線状の口第一直線縁３１と、この口第一直線縁３１の両端に対して直角に連接された口第二直線縁３２と、この口第二直線縁３２に連接されたほぼ半円状の口湾曲縁３３とから形成されている。エア流路部２８と空間部２９との間は、壁部３４が形成されている。壁部３４は、後方に向けて突出してエア流路部２８と空間部２９を隔てている。壁部３４の後端と弁部材収容口３０との間は、隙間が開けられて空間排気路３５が形成されている。空間排気路３５の近傍に、一対の軸孔３６が形成されている。軸孔３６は、空間部２９の左右側方であって、収容接続部２７の左右側部に形成されている。
【００３１】
収容接続部２７の上部は、前後に向けて貫通した三つの孔によって、単一の第一分流エア流路部３７と、二つの第二分流エア流路部３８とが形成され、各流路部３７，３８が空間部２９につながっている。第一分流エア流路部３７は、左右側方の幅に対してほぼ中央に配置されている。第二分流エア流路部３８は、第一分流エア流路部３７よりも下方であって、空間部２９の左右側方の幅よりも内側に配置され、かつ、上下方向において軸孔３６とほぼ同じ位置に揃えられている。
【００３２】
第一分流エア流路部３７は、弁開閉制御部材３９が配置されている。弁開閉制御部材３９は、例えばピストンシリンダーであり、シリンダー４０に対してピストン４１がコイルバネ（図示省略）によって移動する。シリンダー４０は、中間部２５の外側に配置され、第一分流接続管１０が接続されている。ピストン４１は、空間部２９において後方に向けて突出している。第二分流エア流路部３８は、中間部２５の外側から接手部材４２が接続され、この接手部材４２に第二分流接続管５が接続されている。
【００３３】
弁部材４３は、平板状であり、中間部２５の弁部材収容口３０と同じ半長円形状である。弁部材４３は、吸引部２側の面である前面に軸部４４を有している。弁部材４３の前面は、軸部４４を境界として、分流エア面部４５とエア面部４６とに区分される。換言すれば、軸部４４は、分流エア面部４５とエア面部４６との間に配置されている。軸部４４は、弁部材４３の中央よりも上方に配置されているため、分流エア面部４５はエア面部４６よりも面積が小さい。
【００３４】
弁部材４３は、中間部２５の弁部材収容口３０に配置され、軸部４４が中間部２５の軸孔３６に通されている。軸孔３６の左右側方は封止されている。弁部材４３の軸部４４の両端と中間部２５の第二分流エア流路部３８とは対面している。弁部材４３が閉じた状態において、この弁部材４３の分流エア面部４５と中間部２５の第一エア流路部３７（および弁開閉制御部材３９）とが対面し、弁部材４３のエア面部４６と中間部２５のエア流路部２８とが対面している。
【００３５】
図１に示されているとおり、収容部１３における収容容器部１９の収容孔２１は、弁構造２４における中間部２５の弁部材収容口３０につながっている。収容孔２１の孔湾曲縁２３は、弁部材収容口３０の口湾曲縁３３に揃えられ、収容孔２１の孔直線縁２２は、弁部材収容口３０の口第一直線縁３１よりも下方に配置されている。すなわち、孔直線縁２２と口第一直線縁３１とは、弁部材収容口３０の口第二直線縁３２に相当する分だけ、段違いに配置されている。
【００３６】
以上のとおり、弁構造２４および吸引装置１が構成されている。次に、弁構造２４および吸引装置１の動作を図１および図４に基づいて説明する。
【００３７】
供給部が稼働すると、圧縮されたエアが吸引装置１に供給される。図１において、エアは、第一分流部９において分流すると共に、把持部６を通って吸引本体部３に送られる。操作部７が操作されていない場合、エアは把持部６で止められている。一方、第一分流部９で分流した第一分流エアは、第一分流接続管１０を流れ、図４において、弁開閉制御部材３９を介して中間部２５の第一分流エア流路部３７に送られる。中間部２５の空間部２９では、第一分流エアの圧力によって弁開閉制御部材３９のピストン４１が押され、このピストン４１が弁部材４３の分流エア面部４５を押す。すなわち、弁部材４３は、分流エア面部４５に、弁開閉制御部材３９を介して第一分流エアの圧力が加えられたことで、軸部４４を軸として（図４において右回りに）回転し、エア面部４６が、第一分流エアの圧力の方向と反対向きに押される。よって、弁部材４３が閉じて中間部２５のエア流路部２８が塞がる。
【００３８】
図１において、操作部７が押された場合、エアは吸引本体部３において吸引ノズル部１２から吸気する方向（図１において後方）に転換される。図４において、中間部２５のエア流路部２８を通って吸気されたエアの圧力が弁部材４３のエア面部４６に加わると、エアの圧力が第一分流エアの圧力よりも高いことから、弁開閉制御部材３９のピストン４１を前方に押しながら弁部材４３が軸部４４を軸として（図４において左回りに）回転する。よって、弁部材４３が開く。弁部材４３は、分流エア面部４５がピストン４１に当たることで、閉じた状態を基準として鋭角となる位置で停止している（換言すれば、閉じた状態の弁部材４３と、開いた状態の弁部材４３とのなす角が鋭角である。）。図１に示されているとおり、弁部材４３の後面は、収容部１３における基板部２０の孔直線縁２２に当たっている。エアがエア流路部２８を通って収容部１３に流れるため、異物は、吸引ノズル部１２から吸引されて収容部１３の収容容器部１９に収容される。その際、異物は弁部材４３に衝突して減速し、緩衝する。
【００３９】
図１において、エアは、吸引本体部３に送られると同時に、第二分流部４において分流する。この第二分流部４で分流した第二分流エアは、図４において、第二分流接続管５を流れて中間部２５の第二分流エア流路部３８に送られる。第二分流エアの圧力が弁部材４３の軸部４４に加えられると、軸部４４の近傍の異物が吹き飛ばされる。軸部４４の近傍の異物は空間排気路３５を通って、図１において、収容部１３の収容容器部１９に収容される。
【００４０】
以上のとおり、弁構造２４および吸引装置１が動作する。次に、弁構造２４および吸引装置１の効果を説明する。
【００４１】
弁構造２４および吸引装置１は、吸引部２と収容部１３との間に備えられた中間部２５を有している。中間部２５は、ほぼ中心において前後に向けて貫通した円形の孔によって、内側にエア流路部２８が形成され、収容接続部２７の上部は、前後に向けて貫通した三つの孔によって、単一の第一分流エア流路部３７と、二つの第二分流エア流路部３８とが形成されている（図４参照）。すなわち、この中間部２５によって、弁部材４３、各流路部２８，３７，３８の配置、各エアの流路が確定する。したがって、簡便な構成となる。また、各部が中間部２５に集約されているため、修理や交換が容易である。
【００４２】
弁構造２４および吸引装置１は、第一分流エア流路部３７に、ピストンシリンダーである弁開閉制御部材３９が配置されている（図４参照。）。この構成により、第一分流エアの圧力が、弁開閉制御部材３９のピストン４１を押し、弁部材４３に加えられる。したがって、第一分流エアの圧力が、弁開閉制御部材３９を介して伝達し、確実に弁部材４３を閉じることができる。仮に、弁開閉制御部材３９が多少経年劣化した場合であっても、第一分流エアの圧力によって、弁開閉制御部材３９の動作が補われるため、正常に作動する。
【００４３】
弁構造２４および吸引装置１の弁部材４３は、吸引部２側の面である前面に軸部４４を有し、この軸部４４を境界として、分流エア面部４５とエア面部４６とに区分される。弁部材４３が閉じた状態において、この弁部材４３の分流エア面部４５と中間部２５の第一エア流路部３７（および弁開閉制御部材３９）とが対面し、弁部材４３のエア面部４６と中間部２５のエア流路部２８とが対面している（図４参照。）。この状態で、操作部７が操作されておらず、圧縮されたエアが把持部６で止められている場合、第一分流部９で分流した第一分流エアの圧力によって弁開閉制御部材３９のピストン４１が押され、このピストン４１が分流エア面部４５を押す。すなわち、弁部材４３は、分流エア面部４５に、弁開閉制御部材３９を介して第一分流エアの圧力が加えられたことで、軸部４４を軸として回転し、エア面部４６が、第一分流エアの圧力の方向と反対向きに押される。よって、弁部材４３が閉じて中間部２５のエア流路部２８が塞がる。一方で、操作部７が押されて吸気された場合、第一分流エアよりも高い圧力がエア面部４６に加わると、弁開閉制御部材３９のピストン４１を前方に押しながら弁部材４３が軸部４４を軸として回転する。よって、弁部材４３が開く。このように、エアによって弁部材４３が開閉することから、環境の変化に影響され難く正常に作動する。
【００４４】
弁構造２４および吸引装置１は、弁部材４３が開いた状態において、分流エア面部４５がピストン４１に当たることで、閉じた状態を基準として鋭角となる位置で停止している。この構成により、弁部材４３が開いた状態において、エアの圧力に関わらず、弁部材４３がエア流路部２８に対して傾いた状態で配置される。異物が吸引されて弁構造２４を通過する際、異物は弁部材４３に衝突して勢いが減殺されるため、高速で吸引された異物によって収容部１３の収容容器部１９が損傷することを防ぐことができる。
【００４５】
弁構造２４および吸引装置１の中間部２５は、エア流路部２８と第二分流エア流路部３８との間に壁部３４が形成されている。この構成により、エアによって異物が吸引される際、壁部３４に遮られることで異物が軸部４４などに付着し辛い。したがって、弁部材４３を円滑に開閉することができる。
【００４６】
弁構造２４および吸引装置１は、中間部２５に形成された第二分流エア流路部３８が、上下方向において軸孔３６とほぼ同じ位置に揃えられている。弁部材４３の軸部４４の両端と中間部２５の第二分流エア流路部３８とが対面している（図４参照。）。この構成により、軸部４４の近傍において、異物が第二分流エアによって吹き飛ばされる。すなわち、エアによって異物が吸引される際、仮に、異物が弁部材４３の軸部４４に向かった場合であっても、第二分流エアによって吹き飛ばされることで、軸部４４に付着することがない。したがって、異物が軸部４４に詰まることがなく、弁部材４３が円滑に開閉する。また、仮に、異物が軸部４４に付着した場合であっても、第二分流エアによって吹き飛ばされることで、軸部４４が清掃される。さらに、壁部３４の後端と弁部材収容口３０との間は、隙間が開けられて空間排気路３５が形成されているため、異物が円滑に排除される。
【００４７】
弁構造２４および吸引装置１は、第二分流エア流路部３８が、第一分流エア流路部３７（弁開閉制御部材３９）よりも下方に配置されている。この構成により、異物は、第二分流エアによって吹き飛ばされることで、第二分流エアよりも上方にある第一分流エア流路部３７（弁開閉制御部材３９）に付着することがない。したがって、弁開閉制御部材３９および弁部材４３が正常に作動する。
【００４８】
吸引装置１は、収容部１３の収容容器部１９における収容孔２１が、例えば半長円形状であり、直線状の孔直線縁２２と、この孔直線縁２２の両端に連接されたほぼ半円状の孔湾曲縁２３とから形成されている（図３参照。）。孔湾曲縁２３は、中間部２５における弁部材収容口３０の口湾曲縁３３に揃えられ、孔直線縁２２は、弁部材収容口３０の口第一直線縁３１よりも下方に配置されている。弁部材４３が開いた状態において、弁部材４３の後面が孔直線縁２２に当たっている（図１拡大部分参照。）。したがって、収容孔２１が、弁部材収容口３０につなげられ、中間部２５と収容容器部１９との連結箇所に隙間がない。したがって、吸気による異物の吸引が適切に実行される。また、収容容器部１９は、例えば、一般的な掃除機に用いられる市販のフィルターでもよく、この場合、フィルターの孔は、収容孔２１のように加工されて孔直線縁２２が形成される。したがって、容易に収容容器部１９を作成することができる。
【００４９】
次に、収容部の変形例を図面に基づいて説明する。図５は、吸引装置１の収容部におけるフレーム部１４の変形例が示されている。
【００５０】
図５に示されているとおり、フレーム部１１４は、前方が開放された直方体であり、平板状の上面部１１５と平板状の下面部１１６とが上下において互いに対面し、平板状の右側面部１４７と平板状の左側面部１４８とが左右において互いに対面し、各面部１１５，１１６，１４７，１４８の後端に平板状の後面部１１７が連接されている。各面部１１５，１１６，１４７，１４８は、複数の通気孔１４９が形成されている。各面部１１５，１１６，１４７，１４８の内側であって、前部近傍に、位置決め突起１１８が形成されている。フレーム部１１４は、左右側面部１４７，１４８の前部側が弁構造２４における中間部２５の左右側面に固定される。収容部の収容容器部１９における基板部２０は、各面部１１５，１１６，１４７，１４８の位置決め突起１１８と中間部２５との間に挟まる。
【００５１】
変形例のフレーム部１１４では、収容容器部１９が各面部１１５，１１６，１４７，１４８に囲われることから、収容容器部１９が確実に支持される。また、収容容器部１９が露出しないため、外観の見栄えが優れている。また、収容容器部１９を、フレーム部１１４の前方から収容し、収容容器部１９の基板部２０を各面部１１５，１１６，１４７，１４８の位置決め突起１１８に当てた状態で、フレーム部１１４を中間部２５に取り付けることで、収容容器部１９が取り付けられる。したがって、収容容器部１９の取付作業が簡単である。
【００５２】
他の実施形態として、第一分流エア流路部３７に弁開閉制御部材３９がなく、第一分流エアの圧力で弁部材４３を直接押す構成であってもよい。この場合、気密性を担保するために、壁部３４が弁部材収容口３０に至って形成され、空間排気路３５がない構成となる。この構成により、エアによって弁部材４３が開閉することから、弁部材４３を開閉するための部材を要さず、部材の経年劣化や消耗がない。したがって、環境の変化に影響され難く正常に作動する。
【００５３】
以上、本発明の実施形態を詳述したが、本発明は上記実施形態に限定されるものではない。そして本発明は、特許請求の範囲に記載された事項を逸脱することがなければ、種々の設計変更を行うことが可能である。
【符号の説明】
【００５４】
１      吸引装置
２      吸引部
３      吸引本体部
４      第二分流部
５      第二分流接続管
６      把持部
７      操作部
８      被接続部
９      第一分流部
１０    第一分流接続管
１１    接続管
１２    吸引ノズル部
１３    収容部
１４，１１４  フレーム部
１５，１１５  上面部
１６，１１６  下面部
１７，１１７  後面部
１８，１１８  位置決め突起
１９    収容容器部
２０    基板部
２１    収容孔
２２    孔直線縁
２３    孔湾曲縁
２４    弁構造
２５    中間部
２６    吸引接続部
２７    収容接続部
２８    エア流路部
２９    空間部
３０    弁部材収容口
３１    口第一直線縁
３２    口第二直線縁
３３    口湾曲縁
３４    壁部
３５    空間排気路
３６    軸孔
３７    第一分流エア流路部
３８    第二分流エア流路部
３９    弁開閉制御部材
４０    シリンダー
４１    ピストン
４２    接手部材
４３    弁部材
４４    軸部
４５    分流エア面部
４６    エア面部
１４７  右側面部
１４８  左側面部
１４９  通気孔
【図１】
2020041545.tif 000003
【図２】
2020041545.tif 000004
【図３】
2020041545.tif 000005
【図４】
2020041545.tif 000006
【図５】
2020041545.tif 000007
【手続補正書】
【提出日】平成31年2月26日(2019.2.26)
【手続補正１】
【補正対象書類名】特許請求の範囲
【補正対象項目名】全文
【補正方法】変更
【補正の内容】
【特許請求の範囲】
【請求項１】
異物を吸引する吸引部と、この吸引部の下流側に接続されて異物が収容される収容部との間に備えられた弁構造であって、
軸部を軸として開閉する弁部材が、供給されたエアが前記収容部に向けられたことで前記吸引部で吸気された吸気エアによって開き、前記供給されたエアから分流された第一分流エアによって閉じるものであり、
前記弁部材が、前記吸引部側の面に、
前記第一分流エアの圧力が加えられる分流エア面部と、前記吸気エアの圧力が加えられるエア面部とを有し、
前記分流エア面部と前記エア面部との間に前記軸部が配置された、
ことを特徴とする弁構造。
【請求項２】
前記軸部に、前記吸気エアから分流された第二分流エアの圧力が加えられる、
ことを特徴とする請求項１に記載された弁構造。
【請求項３】
前記吸引部と前記収容部との間に備えられて前記弁部材が取り付けられた中間部を有し、
前記中間部が、
前記吸気エアが通ると共に前記エア面部と対面したエア流路部と、
前記第一分流エアが通ると共に前記分流エア面部と対面した第一分流エア流路部と、
前記吸気エアから分流された第二分流エアが通ると共に前記軸部の両端と対面した第二分流エア流路部と、を有する、
ことを特徴とする請求項１または請求項２に記載された弁構造。
【請求項４】
前記第一分流エアによって稼働すると共に前記弁部材に接触する弁開閉制御部材を有する、
ことを特徴とする請求項１から請求項３のいずれか１項に記載された弁構造。
【請求項５】
前記弁開閉制御部材が、
閉じた状態の前記弁部材を基準として、開いた状態の前記弁部材が鋭角となる位置で停止させる、
ことを特徴とする請求項４に記載された弁構造。
【請求項６】
請求項１から請求項５のいずれか１項に記載された弁構造と、
前記弁構造の上流側に接続された吸引本体部と、
前記吸引本体部の上流側に接続された吸引ノズル部と、
前記吸引本体部に備えられた把持部と、
前記弁構造の下流側に接続された収容容器部と、
前記収容容器部を支持するフレーム部と、を有する、
ことを特徴とする吸引装置。